(57)【要約】  送信機１０が、ＭＡＣレイヤにおいて、情報要素を多重してＭＡＣ-ＰＤＵを生成するＭＡＣ-ＰＤＵ生成部１２と、生成されたＭＡＣ-ＰＤＵを送信する第１データユニット送信部１３とを具備し、情報要素は、ＲＬＣレイヤから受信したＭＡＣ-ＳＤＵ、ＭＡＣコントロールブロック、Ｐａｄｄｉｎｇのいずれかであり、ＭＡＣ-ＰＤＵ生成部１２は、ＭＡＣ-ＰＤＵに多重化される情報要素の種別を識別するＣ/Ｔと情報要素のサイズを示すＬＩとを含むＭＡＣヘッダを、ＭＡＣ-ＰＤＵに対して付与する。
2008081881.tif 000002
【特許請求の範囲】
【請求項１】
第１レイヤにおいて、情報要素を多重して、第１データユニットを生成する第１データユニット生成部と、
生成された前記第１データユニットを送信する第１データユニット送信部とを具備し、
前記情報要素は、前記第１レイヤの上位レイヤから受信した上位レイヤデータユニット、制御情報、パディング情報のいずれかであり、
前記第１データユニット生成部は、前記第１データユニットに多重化される前記情報要素の種別を識別する識別情報を含むヘッダ情報を、該第１データユニットに対して付与することを特徴とする送信機。
【請求項２】
前記ヘッダ情報は、前記識別情報に加えて、前記情報要素のサイズを示す情報要素サイズ情報を含むことを特徴とする請求項１に記載の送信機。
【請求項３】
第１レイヤにおいて第１データユニットを受信する第１データユニット受信部と、
前記第１レイヤにおいて受信した前記第１データユニットのヘッダ情報に含まれている情報要素の種別を識別する識別情報に基づいて、該第１データユニットから該情報要素を抽出する抽出部とを具備し、
前記情報要素は、上位レイヤデータユニット、制御情報、パディング情報のいずれかであることを特徴とする受信機。
【請求項４】
前記抽出部は、前記識別情報に加えて、前記該情報要素のサイズを示す情報要素サイズ情報に基づいて、前記第１データユニットから該情報要素を抽出するように構成されていることを特徴とする請求項３に記載の受信機。
【請求項５】
第１レイヤにおいて、情報要素を多重して、第１データユニットを生成する第１データユニット生成部と、
生成された前記第１データユニットを送信する第１データユニット送信部とを具備し、
前記情報要素は、前記第１レイヤの上位レイヤから受信した上位レイヤデータユニット、制御情報、パディング情報のいずれかであり、
前記第１データユニット生成部は、前記第１データユニットに多重化される前記情報要素の種別を識別する識別情報を含むヘッダ情報を、該第１データユニットに対して付与することを特徴とする移動局。
【請求項６】
第１レイヤにおいて、情報要素を多重して、第１データユニットを生成する第１データユニット生成部と、
生成された前記第１データユニットを送信する第１データユニット送信部とを具備し、
前記情報要素は、前記第１レイヤの上位レイヤから受信した上位レイヤデータユニット、制御情報、パディング情報のいずれかであり、
前記第１データユニット生成部は、前記第１データユニットに多重化される前記情報要素の種別を識別する識別情報を含むヘッダ情報を、該第１データユニットに対して付与することを特徴とする無線基地局。
【請求項７】
第１レイヤにおいて第１データユニットを受信する第１データユニット受信部と、
前記第１レイヤにおいて受信した前記第１データユニットのヘッダ情報に含まれている情報要素の種別を識別する識別情報に基づいて、該第１データユニットから該情報要素を抽出する抽出部とを具備し、
前記情報要素は、上位レイヤデータユニット、制御情報、パディング情報のいずれかであることを特徴とする移動局。
【請求項８】
第１レイヤにおいて第１データユニットを受信する第１データユニット受信部と、
前記第１レイヤにおいて受信した前記第１データユニットのヘッダ情報に含まれている情報要素の種別を識別する識別情報に基づいて、該第１データユニットから該情報要素を抽出する抽出部とを具備し、
前記情報要素は、上位レイヤデータユニット、制御情報、パディング情報のいずれかであることを特徴とする無線基地局。
【請求項９】
移動局と無線基地局との間で通信を行うように構成されている移動通信システムであって、
前記移動局は、
第１レイヤにおいて、情報要素を多重して、第１データユニットを生成する第１データユニット生成部と、
生成された前記第１データユニットを送信する第１データユニット送信部とを具備し、
前記無線基地局は、
前記移動局によって送信された前記第１データユニットを受信する第１データユニット受信部と、
受信した前記第１データユニットのヘッダ情報に含まれている情報要素の種別を識別する識別情報に基づいて、該第１データユニットから該情報要素を抽出する抽出部とを具備し、
前記情報要素は、前記第１レイヤの上位レイヤから受信した上位レイヤデータユニット、制御情報、パディング情報のいずれかであり、
前記第１データユニット生成部は、前記第１データユニットに多重化される前記情報要素の種別を識別する識別情報を含むヘッダ情報を、該第１データユニットに対して付与することを特徴とする移動通信システム。
【請求項１０】
移動局と無線基地局との間で通信を行うように構成されている移動通信システムであって、
前記無線基地局は、
第１レイヤにおいて、情報要素を多重して、第１データユニットを生成する第１データユニット生成部と、
生成された前記第１データユニットを送信する第１データユニット送信部とを具備し、
前記移動局は、
前記無線基地局によって送信された前記第１データユニットを受信する第１データユニット受信部と、
受信した前記第１データユニットのヘッダ情報に含まれている情報要素の種別を識別する識別情報に基づいて、該第１データユニットから該情報要素を抽出する抽出部とを具備し、
前記情報要素は、前記第１レイヤの上位レイヤから受信した上位レイヤデータユニット、制御情報、パディング情報のいずれかであり、
前記第１データユニット生成部は、前記第１データユニットに多重化される前記情報要素の種別を識別する識別情報を含むヘッダ情報を、該第１データユニットに対して付与することを特徴とする移動通信システム。
【請求項１１】
移動局と無線基地局との間で通信を行う移動通信方法であって、
前記移動局が、第１レイヤにおいて、情報要素を多重して、第１データユニットを生成する工程Ａと、
前記移動局が、生成した前記第１データユニットを送信する工程Ｂと、
前記無線基地局が、前記移動局によって送信された前記第１データユニットを受信する工程Ｃと、
前記無線基地局が、受信した前記第１データユニットのヘッダ情報に含まれている情報要素の種別を識別する識別情報に基づいて、該第１データユニットから該情報要素を抽出する工程Ｄとを有し、
前記情報要素は、前記第１レイヤの上位レイヤから受信した上位レイヤデータユニット、制御情報、パディング情報のいずれかであり、
前記工程Ａにおいて、前記移動局は、前記第１データユニットに多重化される前記情報要素の種別を識別する識別情報を含むヘッダ情報を、該第１データユニットに対して付与することを特徴とする移動通信方法。
【請求項１２】
移動局と無線基地局との間で通信を行う移動通信方法であって、
前記無線基地局が、第１レイヤにおいて、情報要素を多重して、第１データユニットを生成する工程Ａと、
前記無線基地局が、生成した前記第１データユニットを送信する工程Ｂと、
前記移動局が、前記無線基地局によって送信された前記第１データユニットを受信する工程Ｃと、
前記移動局が、受信した前記第１データユニットのヘッダ情報に含まれている情報要素の種別を識別する識別情報に基づいて、該第１データユニットから該情報要素を抽出する工程Ｄとを有し、
前記情報要素は、前記第１レイヤの上位レイヤから受信した上位レイヤデータユニット、制御情報、パディング情報のいずれかであり、
前記工程Ａにおいて、前記無線基地局は、前記第１データユニットに多重化される前記情報要素の種別を識別する識別情報を含むヘッダ情報を、該第１データユニットに対して付与することを特徴とする移動通信方法。
【発明の詳細な説明】
【技術分野】
【０００１】
本発明は、送信機、受信機、移動局、無線基地局、移動通信システム及び移動通信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において規定されている移動通信システムでは、図１に示すように、下り方向において、無線基地局ＮｏｄｅＢ（送信機）が、移動局ＵＥ（受信機）に対して、ＤＣＣＨ（Ｄｅｄｉｃａｔｅｄ  Ｃｏｎｔｒｏｌ  Ｃｈａｎｎｅｌ）や、ＤＴＣＨ（Ｄｅｄｉｃａｔｅｄ  Ｔｒａｆｆｉｃ  Ｃｈａｎｎｅｌ）や、ＣＣＣＨ（Ｃｏｍｍｏｎ  Ｃｏｎｔｒｏｌ  Ｃｈａｎｎｅｌ）等を送信するように構成されている。【０００３】
また、上り方向においては、移動局ＵＥ（送信機）が、無線基地局ＮｏｄｅＢ（受信機）に対して、ＤＣＣＨや、ＤＴＣＨや、ＣＣＣＨ等を送信するように構成されている。【０００４】
また、３ＧＰＰで規格されているＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）用の論理チャネルとして、下り方向において、無線基地局ＮｏｄｅＢ（送信機）が、移動局ＵＥ（受信機）に対して、ＭＴＣＨ（ＭＢＭＳ  Ｔｒａｆｆｉｃ  Ｃｈａｎｎｅｌ）や、ＭＣＣＨ（ＭＢＭＳ  Ｃｏｎｔｒｏｌ  Ｃｈａｎｎｅｌ）を送信するように構成されている。【０００５】
また、３ＧＰＰで規格されている下り方向の高速パケット通信規格であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）用の物理チャネルとして、下り方向において、無線基地局ＮｏｄｅＢ（送信機）が、移動局ＵＥ（受信機）に対して、ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）や、ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）等を送信するように構成されている。【０００６】
また、ＨＳＤＰＡでは、無線基地局ＮｏｄｅＢ（送信機）が、ＭＡＣ-ｈｓレイヤにおいて、ＭＡＣ-ｄレイヤから受信したＭＡＣ-ｄ  ＰＤＵ（Ｐｒｏｔｏｃｏｌ  Ｄａｔａ  Ｕｎｉｔ）を多重化して、ＭＡＣ-ｈｓ  ＰＤＵを生成し、ＨＳ-ＰＤＳＣＨに関連付けられているＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を用いて送信するように構成されている。【０００７】
ここで、ＭＡＣ-ｈｓ  ＰＤＵに多重化されるＭＡＣ-ｄ  ＰＤＵのサイズは、ＭＡＣ-ｄフロー毎に固定であり、図１０に示すように、無線基地局ＮｏｄｅＢ（送信機）のＭＡＣ-ｈｓレイヤにおいて、ＭＡＣ-ｄフロー毎にＭＡＣ-ｄ  ＰＤＵのサイズを示す「ＳＩＤ（Ｓｉｚｅ  Ｉｎｄｅｘ  Ｉｄｅｎｔｉｆｉｅｒ）」及び当該ＭＡＣ-ｄ  ＰＤＵの個数を示す「Ｎ（Ｎｕｍｂｅｒ  ｏｆ  ＭＡＣ-ｄ  ＰＤＵｓ）を含むＭＡＣヘッダをＭＡＣ-ｈｓ  ＰＤＵに付与するように構成されている。【０００８】
しかしながら、従来のＨＳＤＰＡでは、ＭＡＣ-ｈｓヘッダにおいて、ＭＡＣ-ｄ  ＰＤＵ以外の情報要素（例えば、ＭＡＣコントロールブロック等）を識別する識別情報及びこれらの情報要素のサイズを示すサイズ情報を含めることができないため、ＭＡＣ-ｈｓ  ＰＤＵに、ＭＡＣ-ｄ  ＰＤＵ以外の可変サイズの情報要素を多重化することができないという問題点があった。
【非特許文献１】３ＧＰＰ  ＴＳ  ２５．３２１  ｖ７．０．０
【発明の開示】
【０００９】
そこで、本発明は、上述の課題に鑑みてなされたものであり、第１データユニットに、上位レイヤデータユニットだけでなく、制御情報やパディング情報を多重化することを可能とする送信機及び受信機を提供することを目的とする。
【００１０】
本発明の第１の特徴は、送信機であって、第１レイヤにおいて、情報要素を多重して、第１データユニットを生成する第１データユニット生成部と、生成された前記第１データユニットを送信する第１データユニット送信部とを具備し、前記情報要素は、該第1レイヤの上位レイヤから受信した上位レイヤデータユニット、制御情報、パディング情報のいずれかであり、前記第１データユニット生成部は、前記第１データユニットに多重化される前記情報要素の種別を識別する識別情報を含むヘッダ情報を、該第１データユニットに対して付与することを要旨とする。
【００１１】
本発明の第１の特徴おいて、前記ヘッダ情報は、前記識別情報に加えて、前記情報要素のサイズを示す情報要素サイズ情報を含んでいてもよい。
【００１２】
本発明の第２の特徴は、受信機であって、第１レイヤにおいて第１データユニットを受信する第１データユニット受信部と、前記第１レイヤにおいて受信した前記第１データユニットのヘッダ情報に含まれている情報要素の種別を識別する識別情報に基づいて、該第１データユニットから該情報要素を抽出する抽出部とを具備し、前記情報要素は、上位レイヤデータユニット、制御情報、パディング情報のいずれかであることを要旨とする。
【００１３】
本発明の第２の特徴において、前記抽出部は、前記識別情報に加えて、前記該情報要素のサイズを示す情報要素サイズ情報に基づいて、前記第１データユニットから該情報要素を抽出するように構成されていてもよい。
【００１４】
本発明の第３の特徴は、移動局であって、第１レイヤにおいて、情報要素を多重して、第１データユニットを生成する第１データユニット生成部と、生成された前記第１データユニットを送信する第１データユニット送信部とを具備し、前記情報要素は、該第1レイヤの上位レイヤから受信した上位レイヤデータユニット、制御情報、パディング情報のいずれかであり、前記第１データユニット生成部は、前記第１データユニットに多重化される前記情報要素の種別を識別する識別情報を含むヘッダ情報を、該第１データユニットに対して付与することを要旨とする。
【００１５】
本発明の第４の特徴は、無線基地局であって、第１レイヤにおいて、情報要素を多重して、第１データユニットを生成する第１データユニット生成部と、生成された前記第１データユニットを送信する第１データユニット送信部とを具備し、前記情報要素は、該第1レイヤの上位レイヤから受信した上位レイヤデータユニット、制御情報、パディング情報のいずれかであり、前記第１データユニット生成部は、前記第１データユニットに多重化される前記情報要素の種別を識別する識別情報を含むヘッダ情報を、該第１データユニットに対して付与することを要旨とする。
【００１６】
本発明の第５の特徴は、移動局であって、第１レイヤにおいて第１データユニットを受信する第１データユニット受信部と、前記第１レイヤにおいて受信した前記第１データユニットのヘッダ情報に含まれている情報要素の種別を識別する識別情報に基づいて、該第１データユニットから該情報要素を抽出する抽出部とを具備し、前記情報要素は、上位レイヤデータユニット、制御情報、パディング情報のいずれかであることを要旨とする。
【００１７】
本発明の第６の特徴は、無線基地局であって、第１レイヤにおいて第１データユニットを受信する第１データユニット受信部と、前記第１レイヤにおいて受信した前記第１データユニットのヘッダ情報に含まれている情報要素の種別を識別する識別情報に基づいて、該第１データユニットから該情報要素を抽出する抽出部とを具備し、前記情報要素は、上位レイヤデータユニット、制御情報、パディング情報のいずれかであることを要旨とする。
【００１８】
本発明の第７の特徴は、移動局と無線基地局との間で通信を行うように構成されている移動通信システムであって、前記移動局は、第１レイヤにおいて、情報要素を多重して、第１データユニットを生成する第１データユニット生成部と、生成された前記第１データユニットを送信する第１データユニット送信部とを具備し、前記無線基地局は、前記移動局によって送信された前記第１データユニットを受信する第１データユニット受信部と、受信した前記第１データユニットのヘッダ情報に含まれている情報要素の種別を識別する識別情報に基づいて、該第１データユニットから該情報要素を抽出する抽出部とを具備し、前記情報要素は、該第1レイヤの上位レイヤから受信した上位レイヤデータユニット、制御情報、パディング情報のいずれかであり、前記第１データユニット生成部は、前記第１データユニットに多重化される前記情報要素の種別を識別する識別情報を含むヘッダ情報を、該第１データユニットに対して付与することを要旨とする。
【００１９】
本発明の第８の特徴は、移動局と無線基地局との間で通信を行うように構成されている移動通信システムであって、前記無線基地局は、第１レイヤにおいて、情報要素を多重して、第１データユニットを生成する第１データユニット生成部と、生成された前記第１データユニットを送信する第１データユニット送信部とを具備し、前記移動局は、前記無線基地局によって送信された前記第１データユニットを受信する第１データユニット受信部と、受信した前記第１データユニットのヘッダ情報に含まれている情報要素の種別を識別する識別情報に基づいて、該第１データユニットから該情報要素を抽出する抽出部とを具備し、前記情報要素は、該第1レイヤの上位レイヤから受信した上位レイヤデータユニット、制御情報、パディング情報のいずれかであり、前記第１データユニット生成部は、前記第１データユニットに多重化される前記情報要素の種別を識別する識別情報を含むヘッダ情報を、該第１データユニットに対して付与することを要旨とする。
【００２０】
本発明の第９の特徴は、移動局と無線基地局との間で通信を行う移動通信方法であって、前記移動局が、第１レイヤにおいて、情報要素を多重して、第１データユニットを生成する工程Ａと、前記移動局が、生成した前記第１データユニットを送信する工程Ｂと、前記無線基地局が、前記移動局によって送信された前記第１データユニットを受信する工程Ｃと、前記無線基地局が、受信した前記第１データユニットのヘッダ情報に含まれている情報要素の種別を識別する識別情報に基づいて、該第１データユニットから該情報要素を抽出する工程Ｄとを有し、前記情報要素は、該第1レイヤの上位レイヤから受信した上位レイヤデータユニット、制御情報、パディング情報のいずれかであり、前記工程Ａにおいて、前記移動局は、前記第１データユニットに多重化される前記情報要素の種別を識別する識別情報を含むヘッダ情報を、該第１データユニットに対して付与することを要旨とする。
【００２１】
本発明の第１０の特徴は、移動局と無線基地局との間で通信を行う移動通信方法であって、前記無線基地局が、第１レイヤにおいて、情報要素を多重して、第１データユニットを生成する工程Ａと、前記無線基地局が、生成した前記第１データユニットを送信する工程Ｂと、前記移動局が、前記無線基地局によって送信された前記第１データユニットを受信する工程Ｃと、前記移動局が、受信した前記第１データユニットのヘッダ情報に含まれている情報要素の種別を識別する識別情報に基づいて、該第１データユニットから該情報要素を抽出する工程Ｄとを有し、前記情報要素は、上位レイヤデータユニット、制御情報、パディング情報のいずれかであり、前記工程Ａにおいて、前記無線基地局は、前記第１データユニットに多重化される前記情報要素の種別を識別する識別情報を含むヘッダ情報を、該第１データユニットに対して付与することを要旨とする。
【図面の簡単な説明】
【００２２】
【図１】図１は、本発明の第１の実施形態に係る移動通信システムの全体構成図である。
【図２】図２は、本発明の第１の実施形態に係る送信機の機能ブロック図である。
【図３】図３は、本発明の第１の実施形態に係る移動通信システムにおけるプロトコルスタックを示す図である。
【図４】図４は、本発明の第１の実施形態に係る送信機によって送信されるＭＡＣ-ＰＤＵのフォーマットの一例を示す図である。
【図５】図５は、本発明の第１の実施形態に係る送信機によって送信されるＭＡＣ-ＰＤＵのＭＡＣヘッダに含まれる「Ｃ/Ｔ」によって識別される情報要素の一例を示す図である。
【図６】図６は、本発明の第１の実施形態に係る送信機によって送信されるＭＡＣ-ＰＤＵに多重化されるＭＡＣコントロールブロックについて説明するための図である。
【図７】図７は、本発明の第１の実施形態に係る受信機の機能ブロック図である。
【図８】図８は、本発明の第１の実施形態に係る送信機の動作を示すフローチャートである。
【図９】図９は、本発明の第１の実施形態に係る受信機の動作を示すフローチャートである。
【図１０】図１０は、ＨＳＤＰＡにおいて使用されるＭＡＣ-ｈｓ  ＰＤＵのフォーマットの一例を示す図である。
【発明を実施するための最良の形態】
【００２３】
（本発明の第１の実施形態に係る移動通信システムの構成）
図１乃至図９を参照して、本発明の第１の実施形態に係る送信機１０及び受信機３０を具備する移動通信システムの構成について説明する。本実施形態に係る移動通信システムの構成は、ＬＴＥ（Ｌｏｎｇ  Ｔｅｒｍ  Ｅｖａｌｕａｔｉｏｎ）によって規格されているものとする。【００２４】
ここで、無線基地局ｅＮｏｄｅＢが、本実施形態に係る送信機１０であり、移動局ＵＥが、本実施形態に係る受信機３０であってもよいし、無線基地局ｅＮｏｄｅＢが、本実施形態に係る受信機３０であり、移動局ＵＥが、本実施形態に係る送信機１０であってもよい。【００２５】
図２に示すように、送信機１０は、ＭＡＣ（Ｍｅｄｉａ  Ａｃｃｅｓｓ  Ｃｏｎｔｒｏｌ）レイヤ（第１レイヤ）機能として、ＭＡＣ-ＳＤＵ（Ｓｅｒｖｉｃｅ  Ｄａｔａ  Ｕｎｉｔ）受信部１１と、ＭＡＣ-ＰＤＵ生成部１２と、ＭＡＣ-ＰＤＵ送信部１３とを具備している。【００２６】
ＭＡＣ-ＳＤＵ受信部１１は、ＲＬＣ（Ｒａｄｉｏ  Ｌｉｎｋ  Ｃｏｎｔｒｏｌ）レイヤ（ＭＡＣレイヤの上位レイヤ）からＭＡＣ-ＳＤＵ（上位レイヤデータユニット）を受信するように構成されている（図３参照）。【００２７】
ＭＡＣ-ＰＤＵ生成部１２は、ＭＡＣレイヤにおいて、情報要素を多重して、ＭＡＣ-ＰＤＵを生成するように構成されている。【００２８】
ここで、情報要素は、ＲＬＣレイヤから受信したＭＡＣ-ＳＤＵ、ＭＡＣコントロールブロック（制御情報）、Ｐａｄｄｉｎｇ（パディング情報）のいずれかである。なお、ＭＡＣコントロールブロック（制御情報）及びＰａｄｄｉｎｇ（パディング情報）は、ＲＬＣレイヤから受信されるものではない。【００２９】
例えば、ＭＡＣ-ＰＤＵ生成部１２は、ＭＡＣ-ＰＤＵに、複数の情報要素を多重化する場合（具体的には、ＭＡＣ-ＳＤＵとＭＡＣコントロールブロックとＰａｄｄｉｎｇとを多重する場合）、図４に示すＭＡＣヘッダを付与するように構成されている。なお、ＭＡＣ-ＳＤＵ、ＭＡＣコントロールブロック、Ｐａｄｄｉｎｇのサイズは、可変であるものとする。【００３０】
図４に示すＭＡＣヘッダは、「ＬＩ」と「Ｃ/Ｔ」と「Ｅ」とからなる組Ａ乃至Ｃを有する。なお、組Ａは、ＭＡＣ-ＳＤＵに対するものであり、組Ｂは、ＭＡＣコントロールブロックに対するものであり、組Ｃは、Ｐａｄｄｉｎｇに対するものである。【００３１】
ここで、「ＬＩ（Ｌｅｎｇｔｈ  Ｉｎｄｉｃａｔｏｒ）」は、各情報要素のサイズを示す情報要素サイズ情報である。図４の例では、組Ａにおける「ＬＩ」は、ＭＡＣ-ＳＤＵのサイズを示し、組Ｂにおける「ＬＩ」は、ＭＡＣコントロールブロックのサイズを示し、組Ｃにおける「ＬＩ」は、Ｐａｄｄｉｎｇのサイズを示す。【００３２】
また、「Ｃ/Ｔ」は、ＭＡＣ-ＰＤＵに多重化される各情報要素の種別を識別する識別情報である。図４の例では、組Ａにおける「Ｃ/Ｔ」は、ＭＡＣ-ＳＤＵに対応する論理チャネルを識別するための情報であり、組Ｂにおける「Ｃ/Ｔ」は、ＭＡＣコントロールブロックを識別するための情報であり、組Ｃにおける「Ｃ/Ｔ」は、Ｐａｄｄｉｎｇを識別するための情報である。【００３３】
図５（ａ）及び（ｂ）に、「Ｃ/Ｔ」によって識別される情報要素の一例を示す。ここで、図５（ａ）は、通常通信用の下りチャネル又は上りチャネルにおいて送信されるＭＡＣ-ＰＤＵのＭＡＣヘッダに含まれる「Ｃ/Ｔ」の例について示し、図５（ｂ）は、マルチキャスト通信用のチャネルにおいて送信されるＭＡＣ-ＰＤＵのＭＡＣヘッダに含まれる「Ｃ/Ｔ」の例について示す。【００３４】
図５（ａ）において、「Ｃ/Ｔ」＝「００００」は、ＤＣＣＨに対応するＭＡＣ-ＳＤＵを識別し、「Ｃ/Ｔ」＝「０００１〜１０００」は、ＤＴＣＨ＃１〜＃８に対応するＭＡＣ-ＳＤＵを識別し、「Ｃ/Ｔ」＝「１００１」は、ＣＣＣＨに対応するＭＡＣ-ＳＤＵを識別し、「Ｃ/Ｔ」＝「１０１０」は、ＭＡＣコントロールブロックを識別し、「Ｃ/Ｔ」＝「１０１１」は、Ｐａｄｄｉｎｇを識別する。【００３５】
また、図５（ｂ）において、「Ｃ/Ｔ」＝「００００」は、ＭＣＣＨに対応するＭＡＣ-ＳＤＵを識別し、「Ｃ/Ｔ」＝「０００１〜１１１１」は、ＭＴＣＨ＃１〜＃１５に対応するＭＡＣ-ＳＤＵを識別する。【００３６】
なお、図４（ｂ）に示すように、ＭＡＣ-ＰＤＵに多重化されるＭＡＣコントロールブロックは、「ＩＤ」と「情報」とからなる１つ又は複数の要素によって構成されている。【００３７】
ここで、図６（ａ）及び（ｂ）に、かかるＭＡＣコントロールブロックを構成する「ＩＤ」と「情報」との対応関係の一例を示す。図６（ａ）は、通常通信用の上りチャネルにおいて送信されるＭＡＣ-ＰＤＵに多重化されるＭＡＣコントロールブロックの例について示し、図６（ｂ）は、通常通信用の下りチャネルにおいて送信されるＭＡＣ-ＰＤＵに多重化されるＭＡＣコントロールブロックの例について示す。【００３８】
図６（ａ）において、「ＩＤ」＝「００」によって識別される「情報」は、バッファ量の絶対値又は相対値を示す「Ｂｕｆｆｅｒ  ｓｔａｔｕｓ  ｒｅｐｏｒｔ」である。なお、各「情報」の長さ（サイズ）は、図６（ａ）に示すように、予め決められているものとする。【００３９】
図６（ｂ）において、「ＩＤ」＝「００」によって識別される「情報」は、「ＴｉｍｉｎｇＡｄｖａｎｃｅ」である。なお、各「情報」の長さ（サイズ）は、図６（ｂ）に示すように、予め決められているものとする。【００４０】
また、「Ｅ（Ｅｘｔｅｎｓｉｏｎ）」は、当該「Ｅ」がＭＡＣヘッダの最後であるか否かについて示す情報である。例えば、「Ｅ」が、「０」である場合、当該「Ｅ」は、ＭＡＣヘッダの最後であり、当該「Ｅ」には、ＭＡＣ-ＳＤＵやＭＡＣコントロールブロックやＰａｄｄｉｎｇのいずれかが後続することを示す。【００４１】
一方、「Ｅ」が、「１」である場合、当該「Ｅ」は、ＭＡＣヘッダの最後ではなく、当該「Ｅ」には、「ＬＩ」と「Ｃ/Ｔ」と「Ｅ」とからなる組が後続することを示す。【００４２】
図４の例では、組Ａ及び組Ｂにおける「Ｅ」は、ＭＡＣヘッダの最後ではないことを示し、組Ｃにおける「Ｅ」は、ＭＡＣヘッダの最後であることを示す。【００４３】
ＭＡＣ-ＰＤＵ送信部１３は、ＭＡＣ-ＰＤＵ生成部１２により生成されたＭＡＣ-ＰＤＵを、１つのトランスポートブロックとして物理レイヤに送信するように構成されている（図３参照）。【００４４】
図９に示すように、受信機３０は、ＭＡＣレイヤ機能として、ＭＡＣ-ＰＤＵ受信部３１と、ＭＡＣヘッダ解析部３２と、ＭＡＣ-ＳＤＵ送信部３３とを具備している。【００４５】
ＭＡＣ-ＰＤＵ受信部３１は、送信機１０によって送信されたＭＡＣ-ＰＤＵを、物理レイヤを介して受信するように構成されている（図３参照）。【００４６】
ＭＡＣヘッダ解析部３２は、ＭＡＣレイヤにおいて受信したＭＡＣ-ＰＤＵのＭＡＣヘッダに含まれている「Ｃ/Ｔ」に基づいて、ＭＡＣ-ＰＤＵに多重化されている情報要素の種別を識別し、当該ＭＡＣヘッダに含まれている「ＬＩ（情報要素サイズ情報）」に基づいて、ＭＡＣ-ＰＤＵに多重化されている情報要素（ＭＡＣ-ＳＤＵ、ＭＡＣコントロールブロック、Ｐａｄｄｉｎｇ）のサイズを検出するように構成されている。【００４７】
なお、ＭＡＣヘッダ解析部３２は、ＭＡＣ-ＰＤＵのＭＡＣヘッダに含まれている「Ｅ」に基づいて、当該ＭＡＣヘッダの終わりを検出することができる。【００４８】
ＭＡＣ-ＳＤＵ送信部３４は、ＭＡＣヘッダ解析部３３によって検出された情報要素のサイズに基づいて、ＭＡＣ-ＰＤＵから当該情報要素を抽出するように構成されている。【００４９】
なお、ＭＡＣ-ＳＤＵ送信部３４は、抽出したＭＡＣ-ＳＤＵを、ＲＬＣレイヤに対して送信するように構成されている。【００５０】
（本発明の第１の実施形態に係る移動通信システムの動作）
図８及び図９を参照して、本発明の第１の実施形態に係る移動通信システムの動作について説明する。【００５１】
第１に、図８を参照して、本実施形態に係る送信機１０の動作について説明する。【００５２】
図１０に示すように、ステップＳ１０１において、送信機１０のＭＡＣレイヤ機能が、送信機１０のＲＬＣレイヤから、受信機３０に対して送信すべきＭＡＣ-ＳＤＵを受信し、必要なＭＡＣコントロールブロックを生成する。【００５３】
ステップＳ１０２において、ＭＡＣレイヤ機能が、多重すべき情報要素（ＭＡＣ-ＳＤＵ及びＭＡＣコントロールブロック）の合計サイズが、物理レイヤから通知されているＭＡＣ-ＰＤＵのサイズよりも小さいか否かについて判定する。【００５４】
ＭＡＣ-ＰＤＵのサイズよりも小さいと判定した場合、ステップＳ１０３において、ＭＡＣレイヤ機能が、多重すべき情報要素の合計サイズが、ＭＡＣ-ＰＤＵのサイズに一致するように、パディング処理を行う（すなわち、必要量のＰａｄｄｉｎｇを付加する）して、本動作は、ステップＳ１０４に進む。【００５５】
一方、ＭＡＣ-ＰＤＵのサイズよりも小さくない（ＭＡＣ-ＰＤＵのサイズよりも大きい、又は、ＭＡＣ-ＰＤＵのサイズに一致する）と判定した場合、ステップＳ１０４において、ＭＡＣレイヤ機能が、パディング処理を行うことなく、多重化すべき各情報要素に対応する「ＬＩ」と「Ｃ/Ｔ」と「Ｅ」とからなる組を有するＭＡＣヘッダを生成する。【００５６】
ステップＳ１０５において、ＭＡＣレイヤ機能が、生成されたＭＡＣヘッダが付与されたＭＡＣ-ＰＤＵを生成し、送信機１０の物理レイヤを介して、生成されたＭＡＣ-ＰＤＵを受信機３０に対して送信する。【００５７】
第２に、図９を参照して、本実施形態に係る受信機３０の動作について説明する。【００５８】
図９に示すように、ステップＳ２０１において、受信機３０のＭＡＣレイヤ機能が、受信機３０の物理レイヤを介して、送信機１０から送信されたＭＡＣ-ＰＤＵを受信する。【００５９】
ステップＳ２０２において、受信機３０のＭＡＣレイヤ機能が、受信したＭＡＣ-ＰＤＵに付与されているＭＡＣを解析する。【００６０】
ステップＳ２０３において、受信機３０のＭＡＣレイヤ機能が、ＭＡＣヘッダ内に含まれている「Ｃ/Ｔ」によって、当該ＭＡＣ-ＰＤＵに多重化されている情報要素を識別し、ＭＡＣヘッダ内に含まれている「ＬＩ」に基づいて、識別した情報要素（例えば、ＭＡＣ-ＳＤＵ）を取得する。【００６１】
なお、受信機３０のＭＡＣレイヤ機能は、ＭＡＣヘッダ内に含まれる「Ｅ」が「０」になるまで、ステップＳ２０３を繰り返す。【００６２】
（本発明の第１の実施形態に係る移動通信システムの作用・効果）
本発明の第１の実施形態に係る移動通信システムによれば、ＭＡＣヘッダに、ＭＡＣコントロールブロックやＰａｄｄｉｎｇを識別するための「Ｃ/Ｔ」や、ＭＡＣコントロールブロックやＰａｄｄｉｎｇのサイズを示す「ＬＩ」を設定することができるため、ＭＡＣ-ＰＤＵに、可変長のＭＡＣコントロールブロックやＰａｄｄｉｎｇを多重化することができる。【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００６４】
以上説明したように、本発明によれば、第１データユニットに、上位レイヤデータユニットだけでなく、制御情報やパディング情報を多重化することを可能とする送信機及び受信機を提供することができる。
【図１】
2008081881.tif 000003
【図２】
2008081881.tif 000004
【図３】
2008081881.tif 000005
【図４】
2008081881.tif 000006
【図５】
2008081881.tif 000007
【図６】
2008081881.tif 000008
【図７】
2008081881.tif 000009
【図８】
2008081881.tif 000010
【図９】
2008081881.tif 000011
【図１０】
2008081881.tif 000012
【国際調査報告】
2008081881.tif 000013
2008081881.tif 000014
2008081881.tif 000015
2008081881.tif 000016